(57)【要約】【課題】第１に、清潔感，安全性，セキュリティー面等に優れ、第２に、共同生活の館内ルールが遵守されると共に、入居者間のコミュニティ面にも優れ、第３に、入居者の所要費用負担も安く軽減され、第４に、もって楽しい都会の一人暮らしを提供可能な、コミュニティスタイルのサークルハウスを提案する。【解決手段】このサークルハウス１において、居住フロアの個室のドアは、入居者の専用カードＡの個人証明情報を読取機Ｂがデータ認証することにより、外側から開可能である。エントランスドア１２は、専用カードＡの共通証明情報を読取機Ｂがデータ認証するか、又はモニターカメラＣの画像を管理センターＤにて確認，許可することにより、外側から開可能である。コミュニティルーム，キッチンルーム，シャワールーム７のドア８は、専用カードＡの共通証明情報の読取機Ｂのデータ認証にて、外側から開可能である。【選択図】図１
2007231556.tif 000002
【特許請求の範囲】
【請求項１】
ビルの館内に、居住フロア，エントランスセクション，コミュニティルーム，キッチンルーム，シャワールームを備えた、共同生活用のコミュニティスタイルのサークルハウスであって、
該居住フロアは、複数フロア階に亘って設けられ、それぞれ、間仕切りされた各個室と廊下と共用トイレとを備えており、
該個室は、常時は閉のドアが、その入居者が所有する専用カードに書込まれた個人証明情報を、付設された読取機がデータ認証することにより、外側からも開可能であると共に、ベッド，机，椅子，その他の家具，エアコン，冷蔵庫，テレビ，簡易水道等を備えており、
該エントランスセクションは、館内と外部間のエントランスドアを備えており、常時は閉の該エントランスドアは、入居者の専用カードに書込まれた共通証明情報を、付設された読取機がデータ認証することにより、又は、付設されたモニターカメラの画像を外部の管理センターに送信して、確認，許可，返信された開信号により、外側からも開可能であり、
該コミュニティルーム，キッチンルーム，シャワールームは、常時は閉のドアが、入居者の専用カードの共通証明情報を、付設された読取機がデータ認証することにより、外側からも開可能であり、
該コミュニティルームは、共用の机，椅子，テレビを備えており、該キッチンルームは、複数のシステムキッチン，棚を備えており、該シャワールームは、脱衣室付のシャワー室を複数備えていること、を特徴とする、コミュニティスタイルのサークルハウス。
【請求項２】
該エントランスセクション，コミュニティルーム，キッチンルーム，シャワールームは、１つのフロア階にそれぞれ占有的に設けられるか、又は、１つのフロア階にその幾つかが併存して設けられていること、を特徴とする、請求項１記載のコミュニティスタイルのサークルハウス。
【請求項３】
該コミュニティルームとキッチンルームは、１つのフロア階に併存して設けられており、相互間が開放されると共に、共通のドアが使用されていること、を特徴とする、請求項２に記載したコミュニティスタイルのサークルハウス。
【請求項４】
該専用カードは、接触型や非接触型のＩＣカード又は磁気カードよりなるが、個人証明情報や共通証明情報が書込まれて非接触型的機能で内蔵された携帯電話も、該専用カードと共に又は該専用カードに代えて、使用可能となっていること、を特徴とする、請求項２に記載したコミュニティスタイルのサークルハウス。
【請求項５】
該専用カードや携帯電話は、通貨価値がチャージされる電子マネー機能をも備えており、この電子マネー機能に対応して、該コミュニティルーム，キッチンルーム，シャワールームのドアに付設された該読取機も、代金決済機能を備えていること、を特徴とする、請求項４に記載したコミュニティスタイルのサークルハウス。
【請求項６】
館内には、各種物品の自動販売機が設置されており、該自動販売機は、電子マネー機能を備えた該専用カードや携帯電話に対応した代金決済機能を備えていること、を特徴とする、請求項５に記載したコミュニティスタイルのサークルハウス。
【請求項７】
該居住フロアの各個室は、該テレビと共にパソコンを備えており、入居者間のコミュニティ用のウェブネットワークや、管理センターとの間のコミニケーション用のウェブネットワークが構築されていること、を特徴とする、請求項２に記載したコミュニティスタイルのサークルハウス。
【請求項８】
該居住フロア又はシャワールームは、共用の洗濯機コーナーを備えていること、を特徴とする、請求項２に記載したコミュニティスタイルのサークルハウス。
【請求項９】
該シャワールームに代えて入浴ルームが用いられており、該入浴ルームは、脱衣室付で浴槽を備えた浴室を複数備えていること、を特徴とする、請求項２に記載したコミュニティスタイルのサークルハウス。
【発明の詳細な説明】
【技術分野】
【０００１】
本発明は、サークルハウスに関する。すなわち、共同生活用のコミュニティスタイルのサークルハウス、およびそのビジネスモデル等に関するものである。
【背景技術】
【０００２】
《技術的背景》
都会における例えば２０代，３０代の単身者向けの住宅、一人暮らし用の住宅としては、ワンルームマンションやアパートが代表的である。
しかしながら、購入するには如何せん高額であると共に、勤務先や勤務地の変更が活発化している昨今の状況にも、マッチしない。
このような事情は、賃貸物件についても同様である。すなわち、都会のワンルームマンションやアパートの賃貸物件も、家賃，敷金，礼金，更新料，保証料，仲介料等が高額となると共に、変更が激しい昨今の勤務形態にもマッチしない。
これらに加え、ベッド，机，エアコン，冷蔵庫，洗濯機等の大型家具，大型家電，大型生活用具については、その購入必要性（購入したくない）や、購入費用（購入できない）にも、問題が生じていた。
【０００３】
《従来技術》
このような状況に鑑み、最近、都会における単身者一人暮らし用のビジネスモデルとして、ウイークリーマンション，マンスリーマンションや，ゲストハウス等が、開発，登場するに至っている。
すなわち、大型家具，大型家電，大型生活用具付のマンションの１室を、週単位や月単位で貸与するウイークリーマンション，マンスリーマンションが、一部で人気化している。又、各人の個室を備えると共に、キッチン，シャワー，洗濯機等を共用して、共同生活するゲストハウスも、一部で人気化してきている。
【発明の開示】
【発明が解決しようとする課題】
【０００４】
《問題点について》
ところで、このような従来例については、次の問題が指摘されていた。第１に、ゲストハウスについては、清潔感やセキュリティー面に、問題が指摘されていた。
すなわち、この種従来例のゲストハウスは、共同生活に際し、臭い，汚い，恐いというイメージが強く、清潔感・快適感に乏しいと共に、外部から館内に誰か入ってきても分からず、安全性にも問題があった。
【０００５】
第２に、更にゲストハウスについては、ルール遵守面やコミュニティ面にも、問題が指摘されていた。
すなわち、この種従来例のゲストハウスは、共同生活上の館内ルールが遵守されないことが多々あり、無秩序となり易く、もって他の入居者との間や近隣住民との間で、トラブルが発生するケースもあった。又、せっかくの共同生活であるにもかかわらず、入居者相互間で出会いのきっかけが乏しく、交流が薄い、という指摘があった。
【０００６】
第３に、ウイークリーマンション，マンスリーマンションについては、いかにも割高である、という問題が指摘されていた。
すなわち、この種従来例のウイークリーマンション，マンスリーマンションは、近隣マンションの賃貸物件の家賃の１．４〜１．７倍程度のウィクリー費用，マンスリー費用がかかり、入居者の費用負担が割高であるという指摘があった。そこで、企業の出張者以外については、利用度が低い状況にある。
【０００７】
《本発明について》
本発明のコミュニティスタイルのサークルハウスは、このような実情に鑑み、上記従来例の課題を解決すべく、開発されたものである。
そして本発明は、第１に、清潔感やセキュリティー面に優れ、第２に、館内ルールが遵守されると共に、コミュニティ面にも優れ、第３に、所要費用も安く、第４に、もって楽しい都会の一人暮らしを提供可能な、コミュニティスタイルのサークルハウス、およびそのビジネスモデル等を提案することを、目的とする。
【課題を解決するための手段】
【０００８】
《各請求項について》
このような課題を解決する本発明の技術的手段は、次のとおりである。まず、請求項１については、次のとおり。
請求項１の共同生活用のコミュニティスタイルのサークルハウスは、ビルの館内に、居住フロア，エントランスセクション，コミュニティルーム，キッチンルーム，シャワールームを備えている。
そして該居住フロアは、複数フロア階に亘って設けられ、それぞれ、間仕切りされた各個室と廊下と共用トイレとを、備えている。
該個室は、常時は閉のドアが、その入居者が所有する専用カードに書込まれた個人証明情報を、付設された読取機がデータ認証することにより、外側からも開可能である。これと共に、ベッド，机，椅子，その他の家具，エアコン，冷蔵庫，テレビ，簡易水道等を備えている。
該エントランスセクションは、館内と外部間のエントランスドアを備えている。常時は閉の該エントランスドアは、入居者の専用カードに書込まれた共通証明情報を、付設された読取機がデータ認証することにより、又は、付設されたモニターカメラの画像を外部の管理センターに送信して、確認，許可，返信された開信号により、外側からも開可能である。
該コミュニティルーム，キッチンルーム，シャワールームは、常時は閉のドアが、入居者の専用カードの共通証明情報を、付設された読取機がデータ認証することにより、外側からも開可能である。
そして該コミュニティルームは、共用の机，椅子，テレビを備えている。該キッチンルームは、複数のシステムキッチン，棚を備えている。該シャワールームは、脱衣室付のシャワー室を複数備えている。請求項１は、これらを特徴とする。
【０００９】
請求項２については、次のとおり。請求項２のサークルハウスは、請求項１において、該エントランスセクション，コミュニティルーム，キッチンルーム，シャワールームは、１つのフロア階にそれぞれ占有的に設けられるか、又は、１つのフロア階にその幾つかが併存して設けられていること、を特徴とする。
請求項３については、次のとおり。請求項３のサークルハウスは、請求項２において、該コミュニティルームとキッチンルームは、１つのフロア階に併存して設けられており、相互間が開放されると共に、共通のドアが使用されていること、を特徴とする。
請求項４については、次のとおり。請求項４のサークルハウスは、請求項２において、該専用カードは、接触型や非接触型のＩＣカード又は磁気カードよりなるが、個人証明情報や共通証明情報が書込まれて非接触型的機能で内蔵された携帯電話も、該専用カードと共に又は該専用カードに代えて、使用可能となっていること、を特徴とする。
請求項５については、次のとおり。請求項５のサークルハウスは、請求項４において、該専用カードや携帯電話は、通貨価値がチャージされる電子マネー機能をも備えており、この電子マネー機能に対応して、該コミュニティルーム，キッチンルーム，シャワールームのドアに付設された読取機も、代金決済機能を備えていること、を特徴とする。
請求項６については、次のとおり。請求項６のサークルハウスは、請求項５において、館内には、各種物品の自動販売機が設置されており、該自動販売機は、電子マネー機能を備えた該専用カードや携帯電話に対応した、代金決済機能を備えていること、を特徴とする。
【００１０】
請求項７については、次のとおり。請求項７のサークルハウスは、請求項２において、該居住フロアの各個室は、該テレビと共にパソコンを備えている。そして、入居者間のコミュニティ用のウェブネットワークや、管理センターとの間のコミニケーション用のウェブネットワークが構築されていること、を特徴とする。
請求項８については、次のとおり。請求項８のサークルハウスは、請求項２において、該居住フロア又はシャワールームは、共用の洗濯機コーナーを備えていること、を特徴とする。
請求項９については、次のとおり。請求項９のサークルハウスは、請求項２において、該シャワールームに代えて入浴ルームが用いられており、該入浴ルームは、脱衣室付で浴槽を備えた浴室を複数備えていること、を特徴とする。
【００１１】
《作用等》
本発明は、このような手段よりなるので、次のようになる。
（１）入居者本人やその仲間等は、サークルハウスのエントランスドアから館内に出入りするが、その際、専用カードで読取機とやり取りして入館する。
（２）そして入居者等は、館内の居住フロア，コミュニティルーム，キッチンルーム，シャワールーム等を、自由に行き来することができる。その際、個室や各ルームへの入室は、専用カードを出して読取機とやり取りすることにより、可能となる。
（３）もって入居者等は、館内で充実した生活，行動を営むことができる。すなわち、個室，キッチンルーム，コミュニティルーム，シャワールーム等を、自在に利用することができる。
（４）しかもこれらは、コミュニティルームを活用したり、個室等のテレビやパソコンのウェブネットワークを利用したりすることにより、管理センターも加わって、館内ルールや入居者管理を徹底しつつ行われる。更に、これらの活用，利用により、入居者相互間の交流活発化も可能である。
（５）又、館内，個室，各ルームへの出入は、専用カードにて管理されており、セキュリティー面に不安はない。更に、館内各所のモニターカメラにより、防犯監視も十分である。
（６）そして、このサークルハウスは、共用トイレ，洗濯機コーナー，コミュニティルーム，キッチンルーム，シャワールーム等を、共用化したことにより、設備コスト等が大きく削減されて実現される。
そこで、本発明のコミュニティスタイルのサークルハウスは、次の効果を発揮する。
【発明の効果】
【００１２】
《第１の効果》
第１に、清潔感やセキュリティー面に優れている。すなわち、このサークルハウスは、ビルの館内が、居住フロア，エントランスセクション，コミュニティルーム，キッチンルーム，シャワールームに、共同生活用に目的別に整然と区画されている。
そして、これらの使用は、パソコンそしてウェブネットワークによる館内ルールの徹底と、入居者管理のもとに行われる。例えば、館内クリーンルール，清掃マニュアル，入居者管理規定等の策定と徹底により、共有部分へのマナーも向上し館内が清潔に保たれ、清潔感，快適感を伴うようになる。
又、エントランスセクションのエントランスドアや、居住フロアの各個室のドアや、コミュニティルーム，キッチンルーム，シャワールーム等の各ドアは、専用カードによって開可能となっており、安全性に優れている。更に、外部との間のエントランスドアは、モニターカメラを介し管理センターにより常時防犯監視されると共に、その確認，許可に基づき開可能となっており、セキュリティー体制が充実している。
このように、前述したこの種従来例のゲストハウスについて指摘されていた、臭い，汚い，恐いというイメージが一掃される。
【００１３】
《第２の効果》
第２に、館内ルールが遵守され安心面に優れると共に、入居者相互間のコミュニティ面にも優れている。
すなわち、このサークルハウスでは、コミュニティルーム，パソコン，ウェブネットワーク等を利用して、管理センターによる入居者への共同生活上の館内ルール遵守徹底，入居者管理，入居者ヘルプ機能等々を、実現することができる。もって、前述したこの種従来例のゲストハウスに比べ、他の入居者との間や近隣住民との間のトラブル発生を、大幅に減少させることができ、安心である。
又、入居者がリビング的，ラウンジ的に集えるコミュニティルームや、入居者が必須的に過ごすキッチンルームに加え、パソコンによるウェブネットワークや、館内コミュニティサイト、テレビを利用したテレビ会議システム、等々を利用することにより、入居者相互間の出会いのきっかけが増え、交流が密となり、各種のイベントや企画等も促進されるようになる。
そこで、前述したこの種従来例のゲストハウスに比べ、入居者の相互コミュニティの活発化が期待される。
【００１４】
《第３の効果》
第３に、所要費用も安い。すなわち、このサークルハウスは、居住フロアの個室以外は、多くの共用施設が集約的に設けられている。つまり、トイレ，洗濯機，キッチン，シャワー，机，椅子，テレビ等が共用されており、これらの共用分だけ設備コストが低減されている。
そこで、前述したこの種従来例のウィクリーマンション，マンスリーマンションに比べ、更には近隣マンション，アパートの賃貸物件に比べても、その分だけ、入居者の所要費用負担を安く軽減設定することが可能となる。
【００１５】
《第４の効果》
第４に、もって楽しい都会の一人暮らしを、提供可能となる。すなわち、このサークルハウスは、このように清潔感，セキュリティー，安心面，コミュニティ面等々に優れており、費用も安い。
そこで、例えば２０代，３０代の単身者や出張者等に対し、楽しい充実した都会暮らしを提供可能となる。勤務先や勤務地の変更が激しい昨今の勤務形態にもマッチした、共同生活上のコンセプトを提供することができる。。
このように、この種従来例に存した課題がすべて解決される等、本発明の発揮する効果は、顕著にして大なるものがある。
【発明を実施するための最良の形態】
【００１６】
《図面について》
以下、本発明のサークルハウスを、図面に示した発明を実施するための最良の形態に基づいて、詳細に説明する。図１，図２は、本発明を実施するための最良の形態の説明に供し、その一例を示す。
そして、図１の（１）図は、全体斜視図、（２）図は、エントランスセクションおよびシャワールームを備えた、１階の平断面説明図である。
図２の（１）図は、２〜４階の居住フロアの平断面説明図、（２）図は、コミュニティルームおよびキッチンルームを備えた、最上階の平断面説明図である。
【００１７】
《サークルハウス１の概要について》
例えば図１，図２に示したように、このコミュニティスタイルのサークルハウス１は、ビル２の館内に、居住フロア３，エントランスセクション４，コミュニティルーム５，キッチンルーム６，シャワールーム７等を備えており、入居者に共同生活の場を提供する。
そして、エントランスセクション４，コミュニティルーム５，キッチンルーム６，シャワールーム７は、１つのフロア階にそれぞれ占有的に設けられるか、又は、１つのフロア階にその幾つかが併存して設けられている。
このようなサークルハウス１の概要について、更に詳述する。サークルハウス１のビル２は、図示例では５階建よりなるが、１０階建等の各種フロア階のものが考えられる。
そして図示例では、１階フロアに、エントランスセクション４とシャワールーム７とが、併存すると共に、最上階の５階フロアに、コミュニティルーム５とキッチンルーム６とが、併存して設けられている。なお、このコミュニティルーム５とキッチンルーム６とは、相互間が往来自由に開放されると共に、１つのドア８が、出入口用として共通使用されている。
そして、２階フロア〜４階フロアが、居住フロア３となっている。なお、各階フロアに共通してエレベーター９，階段１０，廊下１１等が設けられている。廊下１１の端には、モニターカメラＣが付設されている。
【００１８】
《エントランスセクション４について》
次に、図１の（２）図により、エントランスセクション４について説明する。まずエントランスセクション４は、館内と外部間のエントランスドア１２を備えている。そして、エントランスドア１２は、常時は閉であると共に、居住者の専用カードＡに書込まれた共通証明情報を、付設された読取機Ｂがデータ認証することにより、又は、付設されたモニターカメラＣの画像を、外部の管理センターＤに送信して、確認，許可，返信された開信号により、開可能である。
このようなエントランスセクション４について、更に詳述する。図示のエントランスセクション４は、エントランスホール１３を備えており、エントランスホール１３の外側端に、開閉自由扉よりなる玄関ドア１４が設けられ、エントランスホール１３の内側端の廊下１１との境に、エントランスドア１２が設けられている。
そしてエントランスドア１２は、入居者の所有する専用カードＡの共通証明情報を、ドア付近に付設された読取機Ｂがデータ認証することにより、ドアロックが解除され、もって外側から開可能となる。なお、内側からは常時開可能である。
更にエントランスドア１２は、ドアＣ付近に付設されたモニターカメラＣの画像を、外部の遠隔地の管理センターＤの受像機に有線又は無線で送信し、もって管理者が、その画像を確認，許可して開信号を返信した場合、ドアロックが解除されて外側から開可能となる。
なお、エントランスホール１３には、リネン室付の受付コーナー１５，ポスト１６，宅配ロッカー１７等が設けられている。１８は、屋外のゴミ置場である。
【００１９】
《専用カードＡについて》
次に、専用カードＡについて説明しておく。専用カードＡは、接触型や非接触型のＩＣカード又は磁器カードよるなり、個人証明情報および共通証明情報が書込まれている。
すなわち、カード型記憶媒体である専用カードＡには、そのサークルハウス１の入居者個人各々を個別に識別可能な個人証明情報と、そのサークルハウス１の入居者であることを共通的に識別可能な共通証明情報とが、書込まれている。
なお、このような個人証明情報や共通証明情報が、書込まれると共に非接触型機能として内蔵された携帯電話も、専用カードＡと共に又は専用カードＡに代えて、使用可能である。
【００２０】
このような専用カードＡ等について、更に詳述する。まず、居住フロア３の各個室１９は、常時は閉のドア２０が、その居住者が所有する専用カードＡに書込まれた個人証明情報を、付設された読取機Ｂがデータ認証することにより、開可能である。
すなわち、その個室１９の入居者は、自分の専用カードＡ（又は前記携帯電話）にて、自分の個室１９のドア２０付近に付設された読取機Ｂ、つまりカード端末であるリーダ／ライタとやり取りすることにより、個室１９のドア２０をロック解除させ、もって外側から開可能とすることができる。なお、内側からは常時開可能である。
又、コミュニティルーム５，キッチンルーム６，シャワールーム７は、常時は閉の各ドア８が、入居者の専用カードＡの共通証明情報を付設された読取機Ｂがデータ認証することにより、開可能である。
すなわち、そのサークルハウス１の各入居者は、専用カードＡ（又は前記携帯電話）にて、各ドア８付近に付設されたリーダ／ライタ等のカード端末である読取機Ｂとやり取りすることにより、各ドア８をそれぞれロック解除させ、もって外側から開可能とすることができる。なお、内側からは常時開可能である。
ところで、専用カードＡや前記携帯電話は、通貨価値がチャージされる電子マネー機能を備えたものも、使用可能である。その場合には、対応して、コミュニティルーム５，キッチンルーム６，シャワールーム７のドア８の読取機Ｂも、代金決済機能を備えたものが使用される。
更にその場合には、館内各所に設置された各種物品の自動販売機についても、電子マネー機能を備えた専用カードＡや前記携帯電話に対応し、代金決済機能を備えるようにするとよい。更に、レンタル用品についてもこれに準じ、代金決済機能付の読取機Ｂを使用して、レンタル用品収納コーナーが開閉するシステムの採用も考えられる。
【００２１】
《居住フロア３について》
次に、図２の（１）図により、居住フロア３について説明する。居住フロア３は、複数フロア階に亘って設けられ、それぞれ、間仕切りにて区画形成された各個室１９と、廊下１１と、共用トイレ２２とを備えている。
すなわち居住フロア３は、各フロア階において、それぞれ廊下１１に対し各個室１９が配設されており、廊下１１の端に、共用トイレ２２，洗濯機コーナー２３，モニターカメラＣ等、が配設されている。なお洗濯機コーナー２３は、シャワールーム７の方に設けることも考えられる。
そして、各フロア階の居住フロア３の各個室１９は、例えば１室が１１ｍ２程度よりなる。そして、ドア２０，小玄関２４，洗面台付の簡易水道２１の他、ベッド，机，椅子，その他の家具，エアコン，冷蔵庫，テレビＴＶ，パソコンＰＣ、更には物干しレール，ゴミ箱，タンス等々が、配設されている。
又、このようにテレビＴＶと共にパソコンＰＣを備えており、入居者間のコミュニティ用のウェブネットワークや、管理センターＤとの間のコミニケーション用のウェブネットワークが構築されている。
【００２２】
《シャワールーム７について》
次に、図１の（２）図により、シャワールーム７について説明する。シャワールーム７は、脱衣室２５付のシャワー室２６を、複数備えている。
すなわち、脱衣室２５とシャワー室２６とでワンブースとし、このようなブースが複数設けられると共に、複数の洗面コーナー２７も付設されている。図示例では、このようなシャワールーム７が男女用に２室設けられ、各々別のドア８が設けられている。
ところで、このようなシャワールーム７に代えて、入浴ルームを用いることも可能である。すなわち、脱衣室２５付の浴槽を備えた浴室をワンブースとし、このようなブースを複数備えた入浴ルームを、シャワールーム７に代えて設けることも考えられる。
【００２３】
《コミュニティルーム５やキッチンルーム６について》
次に、図２の（２）図により、コミュニティルーム５およびキッチンルーム６について説明する。
コミュニティルーム５は談話室とも称され、共用の机２７，椅子２８，テレビＴＶ等を備えている。すなわち、食卓的な机２８，椅子２９や、ラウンジ的な机２８，椅子２９等が配設されると共に、大型のテレビＴＶやパソコンＰＣも設けられ、更に、カウンター，レンタル用品収納コーナー，モニターカメラＣ等も付設されている。又、掲示板やチラシ置場も設けられている。
キッチンルーム６は、複数のシステムキッチン３０が配設されると共に、食器や調味料用の棚３１が付設されている。３２は、キッチンルーム６に付設されたバルコニーであり、屋外のゴミ置場として使用される。
【００２４】
《作用等について》
本発明のコミュニティスタイルのサークルハウス１は、以上説明したように構成されている。そこで、以下のようになる。
（１）入居者本人およびその仲間等は、サークルハウス１のエントランスセクション４のエントランスドア１２を介し、館内と外部との間を出入りする。
そして、入居者が専用カードＡを出して読取機Ｂとやり取りすることにより、外側から入館することができる。なお、出館は自由である。
【００２５】
（２）そして、入居者本人およびその仲間等は、エントランスセクション４から館内を、自由に行き来することができ、居住フロア３，コミュニティルーム５，キッチンルーム６，シャワールーム７等に自在に往来することができる。
その際、居住フロア３の個室１９，コミュニティルーム５やキッチンルーム６，シャワールーム７への入室は、入居者が専用カードＡを出して読取機Ｂとやり取りすることにより、可能となる。
【００２６】
（３）そこで、入居者等は館内で充実した生活，行動等が可能となる。すなわち、設備の整った個室１９で生活し、キッチンルーム６で食事の支度をし、コミュニティルーム５でコミュニティを楽しみ、シャワールーム７でシャワーする等々、必要に応じこれらを利用し，満足することができる。
【００２７】
（４）しかも、このような入居者等の生活，行動は、コミュニティルーム５の活用や、個室１９やコミュニティルーム５に配設されたテレビＴＶやパソコンＰＣのウェブネットワークの利用のもと、管理センターＤの管理者も加わって、館内ルールを徹底しつつ、かつ、入居者管理も充実しつつ行われる。
更にこれらの活用，利用により、入居者相互間の交流も活発化される。
【００２８】
（５）又、館内や個室１９への出入や、コミュニティルーム５，キッチンルーム６，シャワールーム７等への出入は、専用カードＡにて管理されており、セキュリティー面に不安はない。
更に、エントランスセクション４やその他館内各所のモニターカメラＣにより、防犯監視体制も、一段と向上している。
【００２９】
（６）そして、このようなサークルハウス１は、個室１９以外の施設を、すべて共用化したことにより、トータル的な設備コスト面に優れて実現される。
つまり、共用トイレ２２，洗濯機コーナー２３，コミュニティルーム５，シャワールーム７等々を、すべて共用化したことにより、（これらを、入居者１人１人専用として個別に設ける場合に比し、）設備コストが大きく削減される。
このようにサークルハウス１は、設備コストがトータル的に大幅安となっており、もって入居者に安価な料金で提供可能となっている。
【図面の簡単な説明】
【００３０】
【図１】本発明に係るコミュニティスタイルのサークルハウスについて、発明を実施するための最良の形態の説明に供する。そして、その一例を示し、（１）図は、全体斜視図、（２）図は、エントランスセクションおよびシャワールームを備えた、１階の平断面説明図である。
【図２】同発明を実施するための最良の形態の説明に供する。そして、その一例を示し、（１）図は、２〜４階の居住フロアの平断面説明図、（２）図は、コミュニティルームおよびキッチンルームを備えた、最上階の平断面説明図である。
【符号の説明】
【００３１】
１  サークルハウス
２  ビル
３  居住フロア
４  エントランスセクション
５  コミュニティルーム
６  キッチンルーム
７  シャワールーム
８  ドア
９  エレベーター
１０  階段
１１  廊下
１２  エントランスドア
１３  エントランスホール
１４  玄関ドア
１５  受付コーナー
１６  ポスト
１７  宅配ロッカー
１８  ゴミ置場
１９  個室
２０  ドア
２１  簡易水道
２２  共用トイレ
２３  洗濯機コーナー
２４  小玄関
２５  脱衣室
２６  シャワー室
２７  洗面コーナー
２８  机
２９  椅子
３０  システムキッチン
３１  棚
３２  バルコニー
Ａ  専用カード
Ｂ  読取機
Ｃ  モニターカメラ
Ｄ  管理センター
ＴＶ  テレビ
ＰＣ  パソコン
【図１】
2007231556.tif 000003
【図２】
2007231556.tif 000004